(57)【要約】  照明デバイス１０であって、ガラスバルブ１２と、ガラスバルブ１２の内側に設けられ、ガラスバルブ１２と接合されている、開放遠位端部３０ａを有する管状フレア１４と、管状フレア１４の内側に配置されている第１区画３２ａ、並びに、管状フレア１４及びガラスバルブ１２の外側に延在している第２区間３２ｂを有する、円筒状ヒートスプレッダ２０と、第１区画３２ａの頂部上に取り付けられている、固体照明ユニット１８と、固体照明ユニット１８の上に設けられている、光学手段１６であって、開放遠位端部３０ａが、管状フレア１４の外側に光学手段１６を位置決めするように配置されている、光学手段１６と、円筒状ヒートスプレッダ２０の内側に少なくとも部分的に設けられ、かつ固体照明ユニット１８に電気的に接続されている、ドライバ２４と、円筒状ヒートスプレッダ２０の第２区画３２ｂに取り付けられている、端部キャップ２６と、を備える、照明デバイス１０。
2019522324.tif 000002
【特許請求の範囲】
【請求項１】
照明デバイスであって、
ガラスバルブと、
前記ガラスバルブの内側に設けられ、前記ガラスバルブと接合されている、開放遠位端部を有する管状フレアと、
前記管状フレアの内側に配置されている第１区画、並びに、前記管状フレア及び前記ガラスバルブの外側に延在している第２区間を有する、円筒状ヒートスプレッダと、
前記円筒状ヒートスプレッダの前記第１区画の頂部上に取り付けられている、固体照明ユニットと、
前記固体照明ユニットの上に設けられている、光学手段であって、前記開放遠位端部が、前記管状フレアの外側に前記光学手段を位置決めするように配置されている、光学手段と、
前記円筒状ヒートスプレッダの内側に少なくとも部分的に設けられ、かつ前記固体照明ユニットに電気的に接続されている、ドライバと、
前記円筒状ヒートスプレッダの前記第２区画に取り付けられている、端部キャップと、
を備える、照明デバイス。
【請求項２】
前記ガラスバルブが、前記端部キャップに対して、遠位頂部及び近位基部を有し、前記管状フレアが、前記端部キャップに対して、遠位端部及び近位端部を有し、前記管状フレアの前記近位端部が、前記ガラスバルブの前記近位基部に接合されている、請求項１に記載の照明デバイス。
【請求項３】
前記管状フレアが、前記近位端部を除いて、前記ガラスバルブに取り付けられることなく、前記ガラスバルブの内側で独立している、請求項２に記載の照明デバイス。
【請求項４】
前記ガラスバルブが、均一な壁厚又は実質的に均一な壁厚を有する、請求項１乃至３の何れか一項に記載の照明デバイス。
【請求項５】
前記端部キャップが、接合ガラスバルブ及び管状フレアに当接している、請求項１乃至４の何れか一項に記載の照明デバイス。
【請求項６】
前記端部キャップが、前記円筒状ヒートスプレッダが前記端部キャップへの直接熱接続を有するように、前記円筒状ヒートスプレッダの前記第２区画に取り付けられている、請求項１乃至５の何れか一項に記載の照明デバイス。
【請求項７】
前記円筒状ヒートスプレッダと前記ドライバとの間に設けられている、ドライバ絶縁体を更に備える、請求項１乃至６の何れか一項に記載の照明デバイス。
【請求項８】
前記固体照明ユニットの上に設けられている、光学手段を更に備える、請求項１乃至７の何れか一項に記載の照明デバイス。
【請求項９】
前記光学手段が、内部全反射光学素子、拡散器、及びトロイド反射器、並びにこれらの組み合わせから成る群から選択される、請求項８に記載の照明デバイス。
【請求項１０】
前記照明デバイスが、キャンドルランプである、請求項１乃至９の何れか一項に記載の照明デバイス。
【請求項１１】
照明デバイスの製造方法であって、
ガラスバルブを準備するステップと、
前記ガラスバルブ内に、開放遠位端部を有する管状フレアを溶融させるステップと、
第１区画及び第２区画を有する円筒状ヒートスプレッダと、前記第１区画の頂部上に取り付けられている固体照明ユニットと、前記固体照明ユニットの上に設けられている光学手段と、前記円筒状ヒートスプレッダの内側に少なくとも部分的に設けられ、かつ前記固体照明ユニットに電気的に接続されているドライバと、を含む、アセンブリを準備するステップと、
前記第１区画が前記管状フレアの内側に配置され、前記第２区画が前記管状フレア及び前記ガラスバルブの外側に延在するように、前記管状フレア内に前記アセンブリを挿入するステップであって、前記管状フレアの外側に前記光学手段が位置決めされる、ステップと、
前記円筒状ヒートスプレッダの前記第２区画を、端部キャップ内に圧入するステップと、
を含む、方法。
【発明の詳細な説明】
【技術分野】
【０００１】
本発明は、ＬＥＤ（light emitting diode；発光ダイオード）キャンドルランプなどの、照明デバイスに関する。本発明はまた、そのような照明デバイスの製造方法にも関する。
【背景技術】
【０００２】
現在、白熱キャンドルランプの外観と雰囲気を模倣することを試みる、多くのＬＥＤキャンドルランプが市販されている。現行の全てのＬＥＤキャンドルランプは、ＬＥＤフィラメント電球を除いて、バルブと端部キャップとの間に、何らかの境界部品を有する。しかしながら、これは、白熱灯に似せた外観と雰囲気を損なうものである。
【０００３】
中国特許第１０３３２２４６０号は、ランプホルダ、駆動電源、ランプ支持体、ＬＥＤ光源モジュール、及びランプシェードを備える、ＬＥＤキャンドルランプを開示している。ランプホルダは、ランプ支持体に固定して接続されている。駆動電源は、ランプ支持体の内部キャビティ内に配置されている。ＬＥＤ光源モジュールは、ランプ支持体の前端部に固定されている。ランプシェードは、ランプ支持体の外周面上でスリーブ状であり、ＬＥＤ光源モジュール及びランプ支持体を包囲している。しかしながら、中国特許第１０３３２２４６０号のＬＥＤキャンドルランプに関する問題点は、ランプシェードの断面が、ランプ支持体に向けて徐々に厚くなっているため（中国特許第１０３３２２４６０号の図３を参照）、ガラスでは作製可能ではなく、少なくとも大量生産の方法では作製可能ではない点である。
【０００４】
国際公開第２０１５／１７７０３８号では、内側エンベロープ及び外側エンベロープを備える、固体照明デバイスが開示されている。固体光源が、内側エンベロープ内に位置決めされている。内側エンベロープと外側エンベロープとの間の空間は、キャビティを形成しており、このキャビティは、固体光源によって生成された熱を、内側エンベロープから外側エンベロープに輸送するための、ヒートパイプとしての機能を果たし、その熱は、外側エンベロープから周囲環境に伝達される。
【０００５】
国際公開第２０１６／０１２４６７号は、光源からの熱エネルギーを放散するように構成された光透過性ヒートパイプを備える、固体照明デバイスを開示している。このヒートパイプは、ウィックとして構成された可撓性導管を含む。
【発明の概要】
【発明が解決しようとする課題】
【０００６】
本発明の目的は、上述の問題点を克服するか、又は少なくとも軽減して、改善された照明デバイスを提供することである。
【課題を解決するための手段】
【０００７】
本発明の第１の態様によれば、この目的及び他の目的は、ガラスバルブと、ガラスバルブの内側に設けられ、ガラスバルブと接合されている、管状フレアと、管状フレアの内側に配置されている第１区画、並びに、管状フレア及びガラスバルブの外側に延在している第２区間を有する、円筒状ヒートスプレッダと、円筒状ヒートスプレッダの第１区画の頂部上に取り付けられている、固体照明ユニットと、円筒状ヒートスプレッダの内側に少なくとも部分的に設けられ、かつ固体照明ユニットに電気的に接続されている、ドライバと、円筒状ヒートスプレッダの第２区画に取り付けられている、端部キャップとを備える、照明デバイスによって達成される。
【０００８】
本照明デバイスのガラスバルブ及び管状フレアは、標準的な白熱電球生産ライン上で、容易に製造されることができる。標準サイズの押出成形された（それゆえ、極めて滑らかで正確な）ガラス管であってもよい、管状フレアはまた、機械的にも、かつ熱的にも、ヒートスプレッダとの良好な境界面を可能にする。また、ガラスバルブは、別個の部品に接着されて、その部品が、端部キャップにガラスバルブを接続する必要はない。その代わりに、バルブ／フレアから突出している円筒状ヒートスプレッダが、端部キャップ内に単純に圧入される。全般的に、本照明デバイスは、既存のＧＬＳライン上で作製されることができるようなものであり、このことは、その照明デバイスを安価かつ軽量にするばかりではなく、その照明デバイスはまた、ＧＬＳランプに極めて類似した見た目になり得る。
【０００９】
ガラスバルブは、端部キャップに対して、遠位頂部及び近位基部を有してもよく、管状フレアは、端部キャップに対して、遠位端部及び近位端部を有してもよく、管状フレアの近位端部は、ガラスバルブの近位基部に接合されている。管状フレアは、例えば、白熱電球と同様に、ガラスバルブに溶融又は封着されてもよいが、ポンプチューブ及びステムワイヤは省かれている。管状フレアは、それゆえ、その近位端部を除いて、ガラスバルブに取り付けられることなく、ガラスバルブの内側で独立していてもよい。換言すれば、管状フレアは、ガラスバルブの内側で自立していてもよい。
【００１０】
ガラスバルブは、均一な壁厚又は実質的に均一な壁厚を有し得る。「実質的に均一」とは、本明細書では、壁厚が最大±４５％まで変化してもよいことを意味し得る。壁厚は、例えば、０．３５〜１．００ｍｍの範囲であってもよい。
【００１１】
端部キャップは、接合ガラスバルブ及び管状フレアに当接してもよい。それゆえ、端部キャップとガラスバルブとの間の移行部が滑らかになり、中間部品を有さない、ＧＬＳランプに極めて類似したものになり得る。
【００１２】
端部キャップは、円筒状ヒートスプレッダが端部キャップへの直接熱接続を有するように、円筒状ヒートスプレッダの第２区画に取り付けられてもよい。このことは、照明デバイスの熱的性能を向上させ得る。
【００１３】
照明デバイスは、円筒状ヒートスプレッダとドライバとの間に設けられている、ドライバ絶縁体を更に備え得る。ドライバ絶縁体は、例えば、内側誘電体コーティング、又は別個の電気絶縁体であってもよい。ドライバ絶縁体は、例えば熱成形によって、安価に製造されることができる。
【００１４】
照明デバイスは、固体照明ユニットの上に設けられている、光学手段を更に備え得る。この光学手段は、内部全反射光学素子、拡散器、及びトロイド反射器、並びに、ＴＩＲトロイダル光学素子、又は拡散部分／拡散表面を有するＴＩＲ光学素子などの、それらの組み合わせから成る群から選択されてもよい。固体照明ユニットはまた、垂直方向に配置されることも可能である。
【００１５】
照明デバイスは、キャンドルランプ、例えばＬＥＤキャンドルランプであってもよい。
【００１６】
本発明の第２の態様によれば、照明デバイスの製造方法が提供され、この方法は、ガラスバルブを準備するステップと、ガラスバルブ内に管状フレアを溶融させるステップと、第１区画及び第２区画を有する円筒状ヒートスプレッダと、第１区画の頂部上に取り付けられている固体照明ユニットと、円筒状ヒートスプレッダの内側に少なくとも部分的に設けられ、かつ固体照明ユニットに電気的に接続されているドライバと、を含む、アセンブリを準備するステップと、第１区画が管状フレアの内側に配置され、第２区画が管状フレア及びガラスバルブの外側に延在するように、管状フレア内にアセンブリを挿入するステップと、円筒状ヒートスプレッダの第２区画を、端部キャップ内に圧入するステップとを含む。この態様は、第１の態様と同じ若しくは同様の特徴及び技術的効果を呈してもよく、逆の場合も同じである。
【００１７】
上述のように、ガラスバルブ及び管状フレアは、標準的な白熱電球ライン上で、容易に製造されることができる。既存のライン上でフレアがバルブに封着されることができるように、把持具が、ポンプチューブに置き換わって使用されてもよい。
【００１８】
本発明は、請求項に記載されている特徴の、全ての可能な組み合わせに関するものである点に留意されたい。
【図面の簡単な説明】
【００１９】
次に、本発明のこれらの態様及び他の態様が、本発明の実施形態を示す添付図面を参照して、より詳細に説明される。
【図１】本発明の一実施形態による照明デバイスの部分斜視断面図である。
【図２】図１の照明デバイスの側断面図である。
【図３】図１の照明デバイスの分解斜視図である。
【図４】本照明デバイスの製造時におけるステップを示す。
【図５】別の照明デバイスの部分側断面図である。
【００２０】
これらの図で示されるように、層及び領域のサイズは、例示目的で誇張されている場合があり、それゆえ、本発明の実施形態の一般的な構造を例示するように提供されている。同様の参照符号は、全体を通して、同様の要素を指す。
【発明を実施するための形態】
【００２１】
以下に、現時点で好ましい本発明の実施形態が示されている添付図面を参照して、本発明が、以降でより完全に説明される。しかしながら、本発明は、多くの異なる形態で具現化されてもよく、本明細書に記載される実施形態に限定されるとして解釈されるべきではない。むしろ、これらの実施形態は、完全性及び網羅性のために提供され、当業者に本発明の範囲を完全に伝達する。
【００２２】
図１〜図３は、本発明の一実施形態による照明デバイス１０を示す。図１〜図３の照明デバイス１０は、ＬＥＤ（発光ダイオード）キャンドルランプである。照明デバイス１０は、レトロフィットランプであってもよい。
【００２３】
図３に見られるように、上から下へと、照明デバイス１０は、管状フレア１４を有するガラスバルブ１２、光学手段１６、固体照明（solid-state lighting；ＳＳＬ）ユニット１８、ヒートスプレッダ２０、ドライバ絶縁体２２、ドライバ２４、及び端部キャップ２６を備える。
【００２４】
ガラスバルブ１２は、キャンドル形状（「Ｂ形状」）である。ガラスバルブ１２は、透明又は艶消しとすることが可能である。ガラスバルブ１２は、金型内にガラスを吹き込むことによって作製されることができる。ガラスバルブ１２の壁は薄く、（実質的に）均一である。ガラスバルブ１２の壁厚は、例えば、０．３５〜１．００ｍｍの範囲であってもよい。ガラスバルブ１２は、端部キャップ２６に対して、遠位頂部（又は、先端）２８ａ及び近位基部２８ｂを有する（図４もまた参照）。このことは、基部２８ｂが、頂部２８ａよりも、端部キャップ２６に近接していることを意味する。
【００２５】
管状フレア１４は、ガラス管、特に標準サイズの押出ガラス管であってもよい。管状フレア１４は、端部キャップ２６に対して、開放遠位端部３０ａ及び近位端部３０ｂを有する。上記のように、このことは、端部３０ｂが、端部３０ａよりも、端部キャップ２６に近接していることを意味する。
【００２６】
管状フレア１４の近位端部３０ｂは、ガラスバルブ１２の近位基部２８ｂに接合されている。管状フレア１４及びガラスバルブ１２は、例えば、白熱電球におけるように、近位端部３０ｂ／近位基部２８ｂで一体に溶融されてもよいが、いかなるポンプチューブ又はステムワイヤも有さない。管状フレア１４は、それゆえ自立しており、すなわち、その近位端部３０ｂを除いて、ガラスバルブ１２に取り付けられることなく、ガラスバルブ１２の内側で独立している。
【００２７】
ヒートスプレッダ２０は、円筒状である。ヒートスプレッダ２０は、例えば、アルミニウムなどの高熱伝導性シート金属から深絞り成形されることができる。あるいは、ヒートスプレッダ２０は、例えば冷間鍛造されることも可能である。ヒートスプレッダ２０は、第１区画３２ａ及び第２区画３２ｂを含む。３２ａの第１区画の頂部は閉じられており、頂面３４を形成している。第２区画３２ｂは、第１区画３２ａよりも大きい外径を有してもよい。ヒートスプレッダ２０の第１区画３２ａは、管状フレア１４の内面に整合してもよく、管状フレア１４の内側に配置されている。ヒートスプレッダ２０の第１区画３２ａは、例えば、管状フレア１４に接着されてもよい。ヒートスプレッダ２０の第１区画３２ａの頂面３４は、図２に見られ得るように、管状フレア１４の遠位端部３０ａと同じ高さであってもよい。この目的で、管状フレア１４と、ヒートスプレッダ２０の第１区画３２ａとが、同じ長さ又は実質的に同じ長さを有してもよい。その一方で、ヒートスプレッダ２０の第２区画３２ｂは、図２でも見られるように、管状フレア１４及びガラスバルブ１２の外側（又は、下方）に延在している。
【００２８】
ＳＳＬユニット１８は、一般に、光を放出するように適合されている。ＳＳＬユニット１８は、ヒートスプレッダ２０の第１区画３２ａの頂部上に、すなわち、頂面３４上に取り付けられている。ＳＳＬユニット１８は、最適な熱的性能のために、熱伝導性（非電気絶縁性）ペーストを使用することによって、ヒートスプレッダ２０に取り付けられることができる。ＳＳＬユニット１８は、光源としての機能を果たす、１つ以上のＳＳＬ要素３６を含んでもよい。ＳＳＬ要素３６は、例えばＬＥＤであってもよい。ＳＳＬユニット１８はまた、メタルコアプリント回路基板（metal-core printed circuit board；ＭＣＰＣＢ）などのプリント回路基板３８を含んでもよく、この上に１つ以上のＳＳＬ要素３６が取り付けられている。図示の実施形態では、ＳＳＬユニット１８は、水平に配置されており、すなわち、ＰＣＢ３８は、照明デバイス１０の長手方向軸４０に対して横断方向である。
【００２９】
光学手段１６は、ＳＳＬユニット１８の上に設けられている。光学手段１６は、図示の実施形態では、ＴＩＲ（total internal reflection；内部全反射）光学素子である。ＴＩＲ光学素子は、丸い先端を有する円錐のような形状であってもよい。ＴＩＲ光学素子は、射出成形されることも可能である。ＴＩＲ光学素子は、ＳＳＬ要素３６によって放出された光を、側方に向けて、また、端部キャップ２６に向けて下方向にも配光するために役立ち、このことは、キャンドルランプに関して有益である。ＴＩＲ光学素子は、例えば、拡散器又はトロイド反射器によって置き換えられることも可能である。
【００３０】
代替実施形態では（図示せず）、ＳＳＬユニット１８は、より無指向性の分布を作り出すために、垂直方向に配置されることも可能であり、下方向に光を向けるための光学素子を必要としないが、拡散器は、グレア又は斑点を低減するために有益であり得る。
【００３１】
ドライバ２４は、一般に、ＳＳＬユニット１８への電力を調整するように適合されている。ドライバ２４はまた、調光、接続性などのために必要なエレクトロニクスを含んでもよい。ドライバ２４は、ヒートスプレッダ２０の内側に少なくとも部分的に設けられている。ヒートスプレッダ２０とドライバ２４との間に、ドライバ絶縁体２２が設けられてもよい。ドライバ絶縁体２２は、頂部が閉じている、円筒のような形状であってもよい。ドライバ絶縁体２２は、例えば、ヒートスプレッダ２０上の内側誘電体コーティング、又は別個の電気絶縁体であってもよい。ドライバ絶縁体２２は、熱成形されることができる。ドライバ２４は、ＳＳＬユニット１８に電気的に接続されている。この目的のために、孔４２ａ、孔４２ｂが、それぞれ、ヒートスプレッダ２０及びドライバ絶縁体２２の頂部内に設けられてもよく、これらの孔４２ａ、孔４２ｂを通って、ドライバ２４とＳＳＬユニット１８との間の導電体が貫通してもよい。
【００３２】
端部キャップ２６は、一般に、外部ソケット（図示せず）に、照明デバイス１０を機械的及び電気的に接続するよう適合されている。端部キャップ２６は、マンテル４４及び外側ねじ切り部４６を有し得る。端部キャップは、タイプＥ１４のものとすることができる。端部キャップ２６は、例えば、アルミニウム端部キャップであってもよい。端部キャップ２６は、ヒートスプレッダ２０の第２区画３２ｂの外周表面４８に取り付けられている。円筒状ヒートスプレッダ２０は、端部キャップ２６への直接熱接続を有し得る。このことは、バルブ１２／管状フレア１４の外側表面での対流による熱放散だけではない、端部キャップ２６を介した伝導による放熱を可能にする。これはまた、いかなる中間部品も使用することなく、ヒートスプレッダ２０と端部キャップ２６との間に、強固で安定した接続を作り出すための、コスト効率的な方法でもある。ヒートスプレッダ２０の第２区画３２ｂは、例えば、端部キャップ２６のマントル４４内に圧入されてもよい。それゆえ、端部キャップ２６は、ヒートスプレッダ２０にプレス嵌めされてもよい。端部キャップ２６は、接合ガラスバルブ１２及び管状フレア１４の近位端部に、すなわち２８ｂ／３０ｂで当接してもよい。この方式で、端部キャップ２６とガラスバルブ１２との間の移行部が滑らかになり得る。
【００３３】
使用時には、照明デバイス１０は、外部ソケットに嵌め込まれ、その外部ソケットから、端部キャップ２６及びドライバ２４を介して、ＳＳＬユニット１８に電力が供給されることにより、光が放出される。照明デバイス１０の点灯時に生成された熱は、部分的に端部キャップ３６への伝導により放散され（最大５％）、部分的に輻射により放散され（４０％未満）、残りは周囲空気による対流によって放散され得る。
【００３４】
以下では、本照明デバイス１０の製造方法が説明される。この方法は、ガラスバルブ１２を準備するステップを含む。次いで、管状フレア１４が、白熱電球の場合と同様に、ガラスバルブ内に溶融されるが、いかなるポンプチューブ又はステムワイヤも有さない。その代わりに、ガラス処理の間、ポンプチューブに置き換えるために、把持部５０が使用されてもよい（図４を参照）。この方法はまた、円筒状ヒートスプレッダ２０と、ヒートスプレッダ２０上に取り付けられているＳＳＬユニット１８と、ヒートスプレッダ２０の内側のドライバ２４とを含む、アセンブリ又は「パック」を準備するステップも含む。このアセンブリはまた、光学手段１６及びドライバ絶縁体２２のうちの少なくとも一方も含み得る。次いで、このアセンブリは、管状フレア１４がガラスバルブ１２内に溶融された後に、管状フレア１４内に挿入されて接着される。その後、ヒートスプレッダ２０が、端部キャップ２６内に圧入される。詳細には、ヒートスプレッダ２０の第２区画３２ｂが、端部キャップ２６のマントル４２内に圧入される。
【００３５】
図５は、照明デバイス１０と同様であるが、ガラスバルブ１２を有さない、別の照明デバイス１０'を開示している。照明デバイス１０'は、管状フレア１４'と、管状フレアの内側に配置されている第１区画３２ａ'、及び管状フレアの外側に延在している第２区間３２ｂ'を有する、円筒状ヒートスプレッダ２０'と、円筒状ヒートスプレッダの第１区画の頂部上に取り付けられている、固体照明ユニット１８'と、円筒状ヒートスプレッダの内側に少なくとも部分的に設けられ、かつ固体照明ユニットに電気的に接続されている、ドライバ２４'と、円筒状ヒートスプレッダの第２区画に取り付けられている端部キャップ２６'とを備える。管状フレア１４'の近位端部３０ａ'は閉じられている。
【００３６】
当業者は、本発明が、上述の好ましい実施形態に決して限定されるものではないことを、理解するものである。むしろ、多くの修正形態及び変形形態が、添付の請求項の範囲内で可能である。
【００３７】
更には、図面、本開示、及び添付の請求項を検討することにより、開示される実施形態に対する変形形態が、当業者によって理解され、特許請求される発明を実施する際に遂行され得る。請求項では、単語「備える（comprising）」は、他の要素又はステップを排除するものではなく、不定冠詞「１つの（a）」又は「１つの（an）」は、複数を排除するものではない。特定の手段が、相互いに異なる従属請求項内に記載されているという単なる事実は、これらの手段の組み合わせが、有利には使用され得ないことを示すものではない。
【図１】
2019522324.tif 000003
【図２】
2019522324.tif 000004
【図３】
2019522324.tif 000005
【図４】
2019522324.tif 000006
【図５】
2019522324.tif 000007
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
照明デバイスであって、
端部キャップと、
前記端部キャップに対する遠位頂部及び近位基部を有するガラスバルブと、
前記ガラスバルブの内側に設けられ前記ガラスバルブと接合されている、前記端部キャップに対する開放遠位端部及び近位端部を有する管状フレアと、
前記管状フレアの内側に配置されている第１区画、並びに、前記管状フレア及び前記ガラスバルブの外側に延在している第２区間を有する、円筒状ヒートスプレッダと、
前記円筒状ヒートスプレッダの前記第１区画の頂部上に取り付けられている、固体照明ユニットと、
前記固体照明ユニットの上に設けられている、光学手段であって、前記開放遠位端部が、前記管状フレアの外側に前記光学手段を位置決めするように配置されている、光学手段と、
前記円筒状ヒートスプレッダの内側に少なくとも部分的に設けられ、かつ前記固体照明ユニットに電気的に接続されている、ドライバと、
を備える、照明デバイスであって、
前記端部キャップが、前記円筒状ヒートスプレッダの前記第２区画に取り付けられており、前記管状フレアの前記近位端部が、前記ガラスバルブの前記近位基部に接合されている前記照明デバイス。
【請求項２】
前記管状フレアが、前記近位端部を除いて、前記ガラスバルブに取り付けられることなく、前記ガラスバルブの内側で独立している、請求項１に記載の照明デバイス。
【請求項３】
前記ガラスバルブが、均一な壁厚又は実質的に均一な壁厚を有する、請求項１又は２の何れか一項に記載の照明デバイス。
【請求項４】
前記端部キャップが、接合ガラスバルブ及び管状フレアに当接している、請求項１乃至３の何れか一項に記載の照明デバイス。
【請求項５】
前記端部キャップが、前記円筒状ヒートスプレッダが前記端部キャップへの直接熱接続を有するように、前記円筒状ヒートスプレッダの前記第２区画に取り付けられている、請求項１乃至４の何れか一項に記載の照明デバイス。
【請求項６】
前記円筒状ヒートスプレッダと前記ドライバとの間に設けられている、ドライバ絶縁体を更に備える、請求項１乃至５の何れか一項に記載の照明デバイス。
【請求項７】
前記光学手段が、内部全反射光学素子、拡散器、及びトロイド反射器、並びにこれらの組み合わせから成る群から選択される、請求項６に記載の照明デバイス。
【請求項８】
前記照明デバイスが、キャンドルランプである、請求項１乃至７の何れか一項に記載の照明デバイス。
【請求項９】
照明デバイスの製造方法であって、
端部キャップ及びガラスバルブを準備するステップであって、前記ガラスバルブは前記端部キャップに対する遠位端部及び近位端部を有する、ステップと、
前記ガラスバルブ内に、前記端部キャップに対する開放遠位端部及び近位端部を有する管状フレアを溶融させるステップと、
第１区画及び第２区画を有する円筒状ヒートスプレッダと、前記第１区画の頂部上に取り付けられている固体照明ユニットと、前記固体照明ユニットの上に設けられている光学手段と、前記円筒状ヒートスプレッダの内側に少なくとも部分的に設けられ、かつ前記固体照明ユニットに電気的に接続されているドライバと、を含む、アセンブリを準備するステップと、
前記第１区画が前記管状フレアの内側に配置され、前記第２区画が前記管状フレア及び前記ガラスバルブの外側に延在するように、前記管状フレア内に前記アセンブリを挿入するステップであって、前記管状フレアの外側に前記光学手段が位置決めされる、ステップと、
前記円筒状ヒートスプレッダの前記第２区画を、端部キャップ内に圧入し、前記管状フレアの前記近位端部を前記ガラスバルブの前記近位基部と接合させるステップと、
を含む、方法。
【請求項１０】
照明デバイスであって、
端部キャップと、
前記端部キャップに対して、閉じられた遠位端部及び近位端部を有する管状フレアと、
前記管状フレアの内側に配置されている第１区画、並びに、前記管状フレアの外側に延在している第２区間を有する、円筒状ヒートスプレッダと、
前記円筒状ヒートスプレッダの前記第１区画の頂部上に取り付けられている、固体照明ユニットと、
前記円筒状ヒートスプレッダの内側に少なくとも部分的に設けられ、かつ前記固体照明ユニットに電気的に接続されている、ドライバと、
を備える、照明デバイスであって、
前記端部キャップが、前記円筒状ヒートスプレッダの前記第２区画に取り付けられており、前記管状フレアの前記近位端部が、前記ガラスバルブの前記近位基部に接合されている前記照明デバイス。
【国際調査報告】
2019522324.tif 000008
2019522324.tif 000009